(57)【特許請求の範囲】
【請求項１】
縦方向および横方向と、身体側およびその反対側と、前後ウエスト域のいずれか一方である第１ウエスト域と、いずれか他方である第２ウエスト域と、前記第１および第２ウエスト域間に位置するクロッチ域とを含むシャーシを有し、前記シャーシは、前記第１および第２ウエスト域の前記横方向に延びる第１および第２端縁と、前記縦方向に延びる両側縁とを有する使い捨て着用物品において、
前記第１および第２ウエスト域の少なくとも前記第１ウエスト域には、前記シャーシから前記横方向外側へと延出する一対の第１フラップが形成され、前記第１フラップは、前記縦方向に延びるフラップ折曲線に沿って前記横方向内側に折り畳まれ、折り畳まれた前記第１フラップには、その折り畳んだ状態を維持する仮止め手段が形成され、
前記第１および第２ウエスト域の少なくともいずれか一方が、ウエスト折曲線に沿って前記第１および第２端縁とともに前記横方向内側に折り畳まれて、ウエスト折畳領域が形成され、前記ウエスト折畳領域が形成された部分では、前記横方向の長さ寸法が、前記クロッチ域のそれよりも小さくされ、
前記仮止め手段は、前記第１フラップを折り畳んだ状態で前記横方向に対向する少なくとも前記第１フラップの両側縁に形成されることを特徴とする前記使い捨て着用物品。
【請求項２】
縦方向および横方向と、身体側およびその反対側と、前後ウエスト域のいずれか一方である第１ウエスト域と、いずれか他方である第２ウエスト域と、前記第１および第２ウエスト域間に位置するクロッチ域とを含むシャーシを有し、前記シャーシは、前記第１および第２ウエスト域の前記横方向に延びる第１および第２端縁と、前記縦方向に延びる両側縁とを有する使い捨て着用物品において、
前記第１および第２ウエスト域の少なくとも前記第１ウエスト域には、前記シャーシから前記横方向外側へと延出する一対の第１フラップが形成され、前記第１フラップは、前記縦方向に延びるフラップ折曲線に沿って前記横方向内側に折り畳まれ、折り畳まれた前記第１フラップには、その折り畳んだ状態を維持する仮止め手段が形成され、
前記第１および第２ウエスト域の少なくともいずれか一方が、ウエスト折曲線に沿って前記第１および第２端縁とともに前記横方向内側に折り畳まれて、ウエスト折畳領域が形成され、前記ウエスト折畳領域が形成された部分では、前記横方向の長さ寸法が、前記クロッチ域のそれよりも小さくされ、
一対の前記第１フラップは、前記横方向外側に延出する第１係合手段を含み、前記第１係合手段は、前記第１フラップに接合される接合端と、その反対側に位置する延出端とを有し、前記第１フラップが前記フラップ折曲線に沿って折り畳まれることにより、前記第１係合手段が前記シャーシに重なるとともに、前記延出端が互いに当接されることを特徴とする前記使い捨て着用物品。
【請求項３】
前記ウエスト折曲線は、折り畳まれた前記第１フラップに重なって形成される請求項１または２記載の使い捨て着用物品。
【請求項４】
一対の前記延出端は、互いに離間可能に接合される請求項２または３記載の使い捨て着用物品。
【請求項５】
前記横方向に離間する一対の前記第１フラップは、前記横方向に連続する第１フラップシートを含み、前記第１フラップシートは、前記横方向外側に位置し前記第１フラップを形成する一対のフラップ部と、前記フラップ部の間に位置する連結部とを有し、前記連結部は、前記シャーシに重なる請求項１〜４のいずれかに記載の使い捨て着用物品。
【請求項６】
前記第１フラップシートは、熱可塑性合成樹脂を含み、前記仮止め手段は、前記フラップ部と前記連結部との少なくとも一部を熱溶着させることによって形成される請求項５記載の使い捨て着用物品。
【請求項７】
前記第１フラップシートは、前記縦方向外側に位置し前記横方向に延びる外端縁と、前記縦方向内側に位置し前記横方向に延びる内端縁とを有し、前記内端縁であって、前記連結部に対応する部分には、前記シャーシに接合されない非接合領域が形成される請求項５記載の使い捨て着用物品。
【発明の詳細な説明】
【技術分野】
【０００１】
本発明は、使い捨て着用物品に関し、より詳しくは、吸収性パッドとして利用することも可能な使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域とこれらの間に位置するクロッチ域とを有するシャーシによって形成される使い捨ておむつは公知である。例えば、特許文献１には、クロッチ域の横方向長さ寸法を前後ウエスト域のそれよりも小さくされたおむつが開示されている。クロッチ域の横方向長さ寸法を小さくすることによって、おむつの着用時には、クロッチ域が着用者の股下に密着し易くしている。また、前後ウエスト域の横方向長さ寸法を大きくすることによって、着用者のウエストを広い範囲で覆うことができ、これら前後ウエスト域を着用者に密着させることができる。
【先行技術文献】
【特許文献】
【０００３】
【特許文献１】特開平９−１６８５６４公報（ＪＰ  Ｈ９−１６８５６４  Ａ）
【発明の概要】
【発明が解決しようとする課題】
【０００４】
上記のような特許文献１では、前後ウエスト域の側縁を互いに係合して立体的なパンツ形状として用いることとしている。しかし、これを立体的にすることなく、吸収性パッドとして使用する態様も考えられる。吸収性パッドとして使用する場合には、これを着用者の肌と着衣等との間に挿入する。このように挿入すると、クロッチ域から横方向外側に大きくされている前後ウエスト域が着衣に引っかかったり、それが折れたりして、挿入の妨げになる可能性があった。
【０００５】
この発明では、前後ウエスト域と、これらの間に位置するクロッチ域とを有する使い捨て着用物品を、吸収性パッドとして利用する場合であっても、前後ウエスト域が着用の妨げになるのを防止することができる使い捨て着用物品を提供することを課題とする。
【課題を解決するための手段】
【０００６】
本発明は、第１発明及び第２発明を含む。本発明は、縦方向および横方向と、身体側およびその反対側と、前後ウエスト域のいずれか一方である第１ウエスト域と、いずれか他方である第２ウエスト域と、前記第１および第２ウエスト域間に位置するクロッチ域とを含むシャーシを有し、前記シャーシは、前記第１および第２ウエスト域の前記横方向に延びる第１および第２端縁と、前記縦方向に延びる両側縁とを有する使い捨て着用物品の改良にかかわる。
【０００７】
第１発明は、前記使い捨て着用物品において、前記第１および第２ウエスト域の少なくとも前記第１ウエスト域には、前記シャーシから前記横方向外側へと延出する一対の第１フラップが形成され、前記第１フラップは、前記縦方向に延びるフラップ折曲線に沿って前記横方向内側に折り畳まれ、折り畳まれた前記第１フラップには、その折り畳んだ状態を維持する仮止め手段が形成され、前記第１および第２ウエスト域の少なくともいずれか一方が、ウエスト折曲線に沿って前記第１および第２端縁とともに前記横方向内側に折り畳まれて、ウエスト折畳領域が形成され、前記ウエスト折畳領域が形成された部分では、前記横方向の長さ寸法が、前記クロッチ域のそれよりも小さくされ、前記仮止め手段は、前記第１フラップを折り畳んだ状態で前記横方向に対向する少なくとも前記第１フラップの両側縁に形成されることを特徴とする。
【０００８】
第２発明は、前記使い捨て着用物品において、前記第１および第２ウエスト域の少なくとも前記第１ウエスト域には、前記シャーシから前記横方向外側へと延出する一対の第１フラップが形成され、前記第１フラップは、前記縦方向に延びるフラップ折曲線に沿って前記横方向内側に折り畳まれ、折り畳まれた前記第１フラップには、その折り畳んだ状態を維持する仮止め手段が形成され、前記第１および第２ウエスト域の少なくともいずれか一方が、ウエスト折曲線に沿って前記第１および第２端縁とともに前記横方向内側に折り畳まれて、ウエスト折畳領域が形成され、前記ウエスト折畳領域が形成された部分では、前記横方向の長さ寸法が、前記クロッチ域のそれよりも小さくされ、一対の前記第１フラップは、前記横方向外側に延出する第１係合手段を含み、前記第１係合手段は、前記第１フラップに接合される接合端と、その反対側に位置する延出端とを有し、前記第１フラップが前記フラップ折曲線に沿って折り畳まれることにより、前記第１係合手段が前記シャーシに重なるとともに、前記延出端が互いに当接されることを特徴とする。
【０００９】
実施態様のひとつとして、前記ウエスト折曲線は、折り畳まれた前記第１フラップに重なって形成される。
【００１１】
他の実施態様のひとつとして、一対の前記延出端は、互いに離間可能に接合される。
【００１２】
他の実施態様のひとつとして、前記横方向に離間する一対の前記第１フラップは、前記横方向に連続する第１フラップシートを含み、前記第１フラップシートは、前記横方向外側に位置し前記第１フラップを形成する一対のフラップ部と、前記フラップ部の間に位置する連結部とを有し、前記連結部は、前記シャーシに重なる。
【００１３】
他の実施態様のひとつとして、前記第１フラップシートは、熱可塑性合成樹脂を含み、前記仮止め手段は、前記フラップ部と前記連結部との少なくとも一部を熱溶着させることによって形成される。
【００１４】
他の実施態様のひとつとして、前記第１フラップシートは、前記縦方向外側に位置し前記横方向に延びる外端縁と、前記縦方向内側に位置し前記横方向に延びる内端縁とを有し、前記内端縁であって、前記連結部に対応する部分には、前記シャーシに接合されない非接合領域が形成される。
【発明の効果】
【００１５】
本発明の特にそのひとつ以上の実施態様によれば、前後ウエスト域のいずれか一方がウエスト折曲線に沿って横方向内側に折り畳まれ、そのウエスト折畳領域が形成された部分においては、横方向長さ寸法が、クロッチ域のそれよりも小さくされる。したがって、ウエスト折畳領域が形成されたウエスト域を着用者の背中と着衣との間に挿入するようにすれば、この着用物品を吸収性のパッドと使用する際であっても、前後ウエスト域が着用の妨げになることがない。
【図面の簡単な説明】
【００１６】
【図１】使い捨て着用物品の平面図。
【図２】図１の着用物品の一部を展開した図。
【図３】着用物品の分解斜視図。
【図４】着用物品の使用例の説明図。
【図５】着用物品の斜視図。
【発明を実施するための形態】
【００１７】
図１は、本発明に係る使い捨て着用物品の平面概略図、図２は、着用物品１の一部を展開した平面図、図３は、着用物品１の分解斜視図である。着用物品１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。図２，３は、各弾性体をその収縮力に抗して伸長させた状態を例示したものである。
【００１８】
着用物品１は、着用者の身体側およびその反対側である着衣側と、前ウエスト域２、後ウエスト域３、これら前後ウエスト域２，３の間に位置するクロッチ域４とを有するシャーシ１０によって形成される。着用物品１は、互いに仮想横中心線Ｑ−Ｑに関して対向し、横方向Ｘに延びる前後端縁５，６と、互いに仮想縦中心線Ｐ−Ｐに関して対向し、縦方向Ｙへ延びる両側縁７とを有する。
【００１９】
図３に示したように、シャーシ１０は、着衣側に位置するバックシート１１と、バックシート１１の身体側に取り付けられた吸収体１２と、吸収体１２とバックシート１１との間に配置された漏れ防止シート１３とを有する。バックシート１１は、前ウエスト域２からクロッチ域４を介して後ウエスト域３にまで延びている。バックシート１１としては、例えばスパンボンド・メルトブロー・スパンボンド（ＳＭＳ）繊維不織布等の疎水性の繊維不織布を用いることができ、この実施形態では、単位面積当たりの質量が約１０〜１５ｇ／ｍ２、好ましくは約１３ｇ／ｍ２の繊維不織布を用いている。
【００２０】
漏れ防止シート１３は、不透液性のプラスチックフィルムを用いることができ、例えば、単位面積当たりの質量を約１０〜２０ｇ／ｍ２、好ましくは約１８ｇ／ｍ２とすることができる。漏れ防止シート１３は、バックシート１１よりも、その面積が小さく、バックシート１１でその全体が覆われるようにされている。このように漏れ防止シート１３をバックシート１１で覆うことによって、着用物品１の肌触りを向上させることができる。バックシート１１と漏れ防止シート１３とは、図示しないホットメルト接着剤によって互いに接合されている。
【００２１】
バックシート１１の両側縁１１ａは、その内側に折り曲げられスリーブ１４を形成している。スリーブ１４内には、複数本のレッグ弾性体１５が取り付けられている。レッグ弾性体１５は、縦方向Ｙに延びるとともに、少なくともクロッチ域４において、収縮可能に伸長状態で取り付けられている。このレッグ弾性体１５の収縮によって、バックシート１１の少なくともスリーブ１４が着用者の身体へと密着することができ、クロッチ域４からの尿等の漏れを防止することができる。レッグ弾性体１５は、図示しないホットメルト接着剤によって、間欠的にスリーブ１４内に接合されている。
【００２２】
吸収体１２は、図示しない吸液性の芯材をトップシート１６で覆うことによって形成されている。芯材は、液拡散シートで覆われたフラッフパルプと超吸収性ポリマー粒子等との混合物によって構成されている。吸収体１２は、クロッチ域４において、横方向Ｘの長さ寸法が小さくされ、着用者の股部に密着しやすいようにされている。このような吸収体１２の底面全体を漏れ防止シート１３で覆って、尿等の排泄物が着用物品１から漏れるのを防止している。吸収体１２は、図示しないホットメルト接着剤によって漏れ防止シート１３に接合されている。
【００２３】
吸収体１２の吸収面側には、一対の漏れバリアカフ２０が、横方向Ｘに離間して取り付けられている。漏れ防止カフ２０は、吸収体１２の横方向Ｘ外側であって、漏れ防止シート１３に図示しないホットメルト接着剤等で接合された外側縁２１と、吸収体１２に重なるとともにトップシート１６から離間可能にされた内側縁２２とを有する。内側縁２２は、吸収体１２等には接合されず、その内側縁２２に沿ってカフ弾性体２３が伸長状態で収縮可能に取り付けられている。カフ弾性体２３は、少なくともクロッチ域４に対応する位置に取り付けられる。上記のようにカフ弾性体２３を取り付けることによって、内側縁２２が起立するように吸収体１２から離間可能となり、内側縁２２が着用者の鼠蹊部近傍に密着することによって、そこから尿等の排泄物が漏れるのを防止することができる。
【００２４】
漏れバリアカフ２０には、横方向Ｘに延びるとともに縦方向Ｙに離間する前後フラップシート３０，４０が積層されている。前後フラップシート３０，４０は、例えば、単位面積当たりの質量が約１０〜２０ｇ／ｍ２、好ましくは約１５ｇ／ｍ２のスパンボンド・メルトブロー・スパンボンド（ＳＭＳ）繊維不織布を用いることができる。前後フラップシート３０，４０は、前後ウエスト域２，３にそれぞれ取り付けられるとともに、前後ウエスト域２，３を形成するバックシート１１の横方向Ｘの長さ寸法よりも大きく、それを広げた場合には、バックシート１１の両側縁から延出する大きさを有している。
【００２５】
前フラップシート３０は、前端縁５に重なって横方向Ｘに延びる外端縁３０ａと、外端縁３０ａに対向して横方向Ｘに延びる内端縁３０ｂと、縦方向Ｙに延びる両側縁３０ｃとを有する。後フラップシート４０も同様に、後端縁６に重なって横方向Ｘに延びる外端縁４０ａと、外端縁４０ａに対向して横方向Ｘに延びる内端縁４０ｂと、縦方向Ｙに延びる両側縁４０ｃとを有する。また、前後フラップシート３０，４０は、バックシート１１から延出可能であって両側縁３０ｃ、４０ｃ側に位置する一対の前後フラップ部３１，４１と、バックシート１１に重なるとともに一対の前後フラップ部３１，４１を連結する連結部３２，４２とを有する。
【００２６】
前後フラップシート３０，４０は、前後フラップ部３１，４１と連結部３２，４２との間に、縦方向Ｙに延びる前後フラップ折曲線３３，４３が形成され、前後フラップ折曲線３３，４３に沿って前後フラップ部３１，４１が横方向Ｘ内側に折り畳まれている。前後フラップ折曲線３３，３４は、両側縁７とほぼ重なる位置に形成されている。折り畳まれた前後フラップ部３１，４１は、連結部３２，４２に重なり、連結部３２，４２との間で仮止め手段５０によって仮止めされている。仮止め手段５０は、例えば、縦方向Ｙおよび横方向Ｘに離間された複数の加熱・加圧によるドットによって形成されている。このように仮止めすることによって、前後フラップ部３１，４１と連結部３２，４２とは、互いに仮着されているが、これらを剥離しようとした場合には、容易に手で剥離することができる。すなわち、容易に前後フラップ部３１，４１を横方向Ｘの外側に広げることができる。
【００２７】
仮止め手段５０としては、ドット状のほか、縦方向Ｙまたは横方向Ｘに連続して延びる線状のものが縦方向Ｙまたは横方向Ｘに複数並んでいるものであってもよい。加熱・加圧によって仮止め手段５０を形成する場合には、前後フラップシート３０，４０は、熱可塑性合成樹脂を含むことによって、これらシートを形成する繊維が熱溶融し、互いに接合可能とすることができる。また、ホットメルト接着剤等の接着手段によって接合されているものであってもよく、この場合には、前後フラップシート３０，４０が熱可塑性合成樹脂を含まないものであってもよい。
【００２８】
前後フラップ部３１，４１と連結部３２，４２との仮止めは、その接合強度が約０．０３〜１．０Ｎ、好ましくは約０．１〜０．５Ｎとされている。接合強度が０．０３Ｎよりも小さいと、前後フラップ部３１，４１と連結部３２，４２との仮止めが、その剥離以外のときに妄りに剥がれてしまい、１．０Ｎよりも大きいと、前後フラップ部３１，４１を剥離し難いからである。また、仮止めの接合強度は、両側縁３０ｃ，４０ｃ近傍で大きく、前後フラップ折曲線３３，４３近傍で小さくなるようにすることもできる。両側縁３０ｃ，４０ｃ近傍で大きくすることによって、全体の接合強度を大きくすることなく、前後フラップ部３１，４１を剥がれ難くすることができる。さらに、両側縁３０ｃ，４０ｃ近傍で、前後フラップ部３１，４１が仮止めされることによって、この前後フラップ部３１，４１がめくれるのを防止することができるので、仮止め手段５０は、少なくとも両側縁３０ｃ，４０ｃ近傍において形成され、その他の領域においての仮止め手段５０の形成は必須ではない。
【００２９】
加熱・加圧によって形成されたドットは、両側縁３０ｃ，４０ｃから約５〜２０ｍｍ離間されるようにしている。この離間距離が５ｍｍよりも小さい場合には、前後フラップ部を展開する際のつまみ代が小さく、挟持しにくくなり、２０ｍｍよりも大きいと、両側縁３０ｃ，４０ｃがめくれたり皺になったりしやすいからである。
【００３０】
連結部３２，４２は、外端縁３０ａ，４０ａおよび前後フラップ折曲線３３，４３の横方向Ｘ内側近傍のみが、図示しないホットメルト接着剤等の接着手段によって漏れバリアカフ２０およびシャーシ１０に接合され、内端縁３０ｂ，４０ｂは接合されずに非接合領域３４，４４が形成されている。前後フラップシート３０，４０と吸収体１２との間には、起立するように離間する漏れバリアカフ２０が取り付けられているから、この漏れバリアカフ２０が離間すると、前後フラップシート３０，４０の連結部３２，４２も吸収体１２から離間させるように移動し、これら吸収体１２と連結部３２，４２との間には、ポケットを形成することができる。ポケットは、便等の排泄物を収容することができるので、これら排泄物が着用物品１の前後端縁５，６から漏れるのを防止することができる。
【００３１】
後フラップシート４０の側縁４０ｃには、一対の第１係合手段６０がそれぞれ取り付けられている。図２に示したように、第１係合手段６０は、横方向Ｘに延びるシート片６１と、シート片６１に取り付けられたフック要素６２とを有する。シート片６１は、例えば、単位面積当たりの質量が約５０〜８０ｇ／ｍ２、好ましくは約７０ｇ／ｍ２のポリプロピレン・スパンボンド（ＰＰＳＢ）繊維不織布によって形成され、接合端６３が後フラップ部４１に取り付けられるとともに、接合端６３の横方向Ｘに対向する延出端６４にフック要素６２が取り付けられている。延出端６４は、後フラップ部４１の折畳状態においては、互いに当接し、接合されている。
【００３２】
フック要素６２は、後フラップ部４１が後フラップ折曲線４３に沿って折り畳まれている場合には、後フラップシート４０連結部４２に対向するとともに、連結部４２を形成する繊維に係合することができる。このようにフック要素６２が連結部４２に係合することによって、第１係合手段６０が妄りにめくれたりするのを防止することができる。フック要素６２と連結部４２との係合力は、約２．４Ｎ以下、好ましくは約０．５〜１．０Ｎとしている。係合力は、島津システムソリューションズ株式会社製  オートグラフを用いて測定した。詳細には、チャック間６０ｍｍ、引っ張り速度３００ｍｍ／ｍｉｎに設定し、係合力（Ｎ）を測定した。
【００３３】
互いに当接した第１係合手段６０の延出端６４の間には、縦方向Ｙに間欠的に複数のスリット６５が形成され、スリット６５の間で、延出端６４が互いに接合されている。接合された延出端６４は、それらを横方向Ｘ外側に引っ張ることで、スリット６５の間を裂くことができ、容易にこれらを離間することができる。スリット６５の縦方向Ｙの長さは約５ｍｍとし、スリット６５間の離間寸法は約０．３ｍｍとしている。このようにスリット６５を形成することによって、延出端６４の間の引っ張り強度を約１〜２０Ｎ、好ましくは約６〜１６Ｎとすることができる。引っ張り強度は、インストロンジャパン  カンパニイリミテッド社製  インストロンを用いて測定した。詳細には、チャック間距離３０ｍｍ、引っ張り速度１００ｍｍ／ｍｉｎに設定し、最大強度（Ｎ）を測定した。第１係合手段６０の測定サンプルとして、スリット６５形成部分を含むように、縦方向Ｙの長さ寸法が約２５ｍｍとなるように切断したものを用いた。
【００３４】
上記のような第１係合手段６０に係合可能な第２係合手段７０が、バックシート１１の着衣側面に形成されている。第２係合手段７０は、ループ要素を含み、後ウエスト域３の両側縁７の間で横方向Ｘに延びている。
【００３５】
図１に示したように、着用物品１において、折り畳まれた前後フラップ部３１，４１に重なる位置には、ウエスト折曲線８０が形成され、前後ウエスト域２，３がウエスト折曲線８０に沿って横方向Ｘ内側に折り畳まれる。なお、この実施形態においては、図１の状態において、着用物品１の両側縁７が少なくともクロッチ域４において、横方向Ｘ内側に倒伏しているが、必ずしもこれに限らず、両側縁７が横方向Ｘ外側に展開されているものであってもよい。ウエスト折曲線８０は、前後端縁５，６から両側縁７へと延びるとともに、仮想縦中心線Ｐ−Ｐに対して傾斜している。ウエスト折曲線８０に沿って前後ウエスト域２，３を折り畳むことによって、ウエスト折畳領域８１が形成され、前後ウエスト域２，３の横方向Ｘの長さ寸法は、少なくとも、各弾性体の収縮状態、すなわち、着用物品１の着用前の状態であって各弾性体をその収縮力に抗して伸長させていない状態において、クロッチ域４のそれよりも小さくされる。
【００３６】
上記のような着用物品１は、ウエスト折畳領域８１が形成された状態においては、それを吸収性パッドとして使用するのに適している。すなわち、図１に示した状態で、着用物品１を着用者の股にあてがい、その上から例えばおむつカバーで着用物品１を固定させることができる。着用物品１を吸収性パッドとして使用する場合であって、これを交換する際には、仰向けにさせた着用者の腹側でのみおむつカバーを展開し、使用後の着用物品１を背中側から引き抜く。新しい着用物品１は、おむつカバーと着用者の背中との間に挿入して着用させる。このように、挿入するとき、着用物品１の前後ウエスト域２，３の横方向Ｘの長さ寸法が、クロッチ域４のそれよりも小さくされているので、挿入しやすく、前後ウエスト域２，３、特に、前後フラップ部３１，４１が邪魔になるということがない。また、ウエスト折畳領域８１が形成されることによって、尿等の排泄物が横方向Ｘ外側に流れるのを防止することができる。なお、着用物品１を挿入した後に、ウエスト折畳領域８１を横方向Ｘ外側に開いて、吸収面積を広くして使用することもできる。
【００３７】
後フラップシート４０の縦方向Ｙの長さ寸法は、シャーシ１０の縦方向Ｙの長さ寸法の約４０％以下、好ましくは約２０〜３０％としている。後フラップシート４０の縦方向Ｙの長さ寸法が４０％を越えると、吸収性パッドとして着用物品１を使用した場合に、吸収体１２の広い範囲が後フラップシート４０の連結部４２と後フラップ部４１とに覆われて吸収可能な領域が少なくなってしまうからである。また、吸収体１２に重なった後フラップシート４０上に便等が排泄され、これが後端縁６から漏れやすくなるからである。
【００３８】
前フラップシート３０の縦方向Ｙの長さ寸法は、シャーシ１０の縦方向Ｙの長さ寸法の約２５％以下、好ましくは約１５〜２０％としている。前フラップシート３０の縦方向Ｙの長さ寸法が２５％を越えると、特に男性の着用者の場合に、尿が前フラップシート３０上に排泄され、これが前端縁５から漏れやすくなるからである。
【００３９】
上記のような着用物品１は、おむつカバーを使用する場合だけでなく、例えば、中国で使用されることが多い、いわゆる股割れズボンにも好適である。股割れズボンは、特に幼児に用いられることが多く、ズボンの股下部分の一部が縫合されずに開口し、脚を広げると着用者の股部分が露出されるようになっている。このようなズボンの開口部分から着用物品１を挿入し、吸収性パッドとして使用する場合にも、着用物品の前後ウエスト域２，３が折れ曲がったり、引っかかったりすることなく、容易に着用することができる。
【００４０】
上記のような着用物品１は、パンツ型のおむつとして利用することも可能である。すなわち、図４（ａ）の状態から図４（ｂ）の状態へと、ウエスト折畳領域８１を横方向Ｘ外側に展開する。このように展開すると、図４（ｂ）に示したように、第１係合手段６０が露出される。図４（ｂ）の状態から図４（ｃ）の状態へと変形させるために、連結している一対の延出端６４をスリット６５を介して互いに離間させるとともに、後フラップ部４１を連結部４２から離間させるように横方向Ｘ外側に展開させる。後フラップ部４１と連結部４２とは、仮止め手段５０によって連結されているが、このように展開させることによって、容易にこれらが剥離される。図４（ｃ）に示したように、着用物品１は、後フラップ部４１が展開されて、シャーシ１０の横方向Ｘ外側に延出される。
【００４１】
図示しないが、前ウエスト域２においても、後ウエスト域３と同様に、ウエスト折畳領域８１を展開し、前フラップ部３１を展開することによって、前フラップ部３１をシャーシ１０の横方向Ｘ外側に延出することができる。また、横方向Ｘに対向する折り畳まれたウエスト折畳領域８１は、その折畳状態が維持されるように、互いに仮止めすることもできる。また、折り畳まれたウエスト折畳領域８１を連結部３２，４２にそれぞれ仮止めすることもできる。仮止め手段５０としては、加熱・加圧によって部分的に、前後フラップシート３０，４０を熱溶着することもできるし、ホットメルト接着剤等の接着剤を間欠的に塗布することもできる。このように仮止めすることによって、着用時にウエスト折畳領域８１が妄りに剥がれるのを防止することができるとともに、これを展開させようとした場合には、容易にこの仮止めを解くことができる。また、仮止め手段５０を形成することによって、着用物品１の製造時に、前後フラップ部３１，４１が製造装置に引っかかったり、巻き込まれたりするのを防止することができる。
【００４２】
上記のように、前後フラップ部３１，４１がシャーシ１０の横方向Ｘ外側に延出された着用物品１は、後フラップ部４１の第１係合手段６０のフック要素６２を、第２係合手段７０のループ要素に係合させることによって、図５に示した立体的なパンツ型のおむつとして着用者に着用させることができる。前後フラップ部３１，４１がシャーシ１０の横方向Ｘから延出することによって、着用物品１は広い範囲で着用者に密着することができ、着用時の着用物品のずれを防止することができるとともに、尿等の排泄物が着用物品１から漏れるのを防止することができる。
【００４３】
上記のような着用物品１において、前後フラップ部３１，４１は、前後フラップシート３０，４０によってそれぞれ一体的に形成されているが、これに限ったものではなく、前フラップ部３１および後フラップ部４１がそれぞれ横方向Ｘに離間し、別々のシートで形成されていてもよい。また、前後フラップ部３１，４１は、必須の構成ではなく、さらに、いずれか一方のみが形成されるようにしてもよい。その場合には、後ウエスト域３に形成されるのが好ましい。
【００４４】
仮止め手段５０は、前後フラップシート３０，４０の前後フラップ部３１，４１と連結部３２，４２とを接合することとしているが、第１係合手段６０を連結部３２，４２に接合させて仮止め手段５０とすることもできるし、対向する第１係合手段６０を互いに接合させて仮止め手段５０とすることもできる。このように第１係合手段６０に仮止め手段５０を形成した場合には、前後フラップシート３０，４０に仮止め手段５０を形成しなくてもよい。この場合には、後フラップ部４１が第１係合手段６０を含み、後フラップ部４１の両側縁の一部を形成する第１係合手段６０に仮止め手段５０が形成されることとなる。
【００４５】
第１係合手段６０に仮止め手段５０を形成する場合には、その他の領域の仮止め手段よりもその強度を大きくして、より一層第１係合手段６０が妄りに剥離するのを防止することが望ましい。第１係合手段６０の仮止めが妄りに外れて前後フラップ部３１，４１から剥がれてしまうと、フック要素６２が着用者の肌に接触し、刺激を与えてしまう可能性があるからである。
【００４６】
第１係合手段６０のフック要素６２は、後フラップ折曲線４３に沿って後フラップシート４０を折り畳んだ場合に、連結部４２に対向する面に形成されているが、その反対の面に形成されるようにしてもよい。このように形成することによって、フック要素６２を身体側に露出させることができ、これを例えば着用者の着衣に係合することができ、パッドとして使用した着用物品１がずれるのを防止することができる。第１係合手段６０の延出端６４が、スリット６５を介して互いに接合するようにされ、使用時にこれを離間するようにしているが、これら延出端６４が始めから離間されていてもよい。
【００４７】
着用物品１を構成する各構成部材には、本明細書に記載されている材料のほかに、この種の分野において通常用いられている、各種の公知の材料を制限なく用いることができる。
【００４８】
本発明の明細書および特許請求の範囲において、用語「第１」および「第２」は、同様の要素、位置等を単に区別するために用いられている。さらに、本発明の明細書および特許請求の範囲において、用語「第１ウエスト域」は、前後ウエスト域の一方を意味し、「第２ウエスト域」はその他方を意味する。
【符号の説明】
【００４９】
１    使い捨ての着用物品
２    前ウエスト域（第１又は第２ウエスト域）
３    後ウエスト域（第１又は第２ウエスト域）
４    クロッチ域
５    前端縁
６    後端縁
７    両側縁
１０    シャーシ
３０    前フラップシート（第２フラップシート）
３０ａ  外端縁
３０ｂ  内端縁
３１    前フラップ部（第２フラップ部）
３２    連結部
３３    前フラップ折曲線
３４    非接合領域
４０    後フラップシート（第１フラップシート）
４０ａ  外端縁
４０ｂ  内端縁
４１    後フラップ部（第１フラップ部）
４２    連結部
４３    後フラップ折曲線
４４    非接合領域
５０    仮止め手段
６０    第１係合手段
６３    接合端
６４    延出端
Ｘ    横方向
Ｙ    縦方向
【図１】
0005572002.tif 000002
【図２】
0005572002.tif 000003
【図３】
0005572002.tif 000004
【図４】
0005572002.tif 000005
【図５】
0005572002.tif 000006